(57)【要約】【課題】【解決手段】  ポリジメチルシロキサン（ＰＤＭＳ）マイクロ流体デバイスにおいて一体化された固体膜での制御破壊によって、ナノポアアレイが作製される。この技術は、独立して扱うことが可能なナノポアの、規模を変えることができる作製を可能にする。電場をマイクロ流体アーキテクチャにおさめることで、ナノポアの作製を高精度で局在化し、センシングの際に電気ノイズが大幅に低減される。【選択図】図１
2018508745.tif 000002
【特許請求の範囲】
【請求項１】
対向する平面を画定し、少なくとも１つの誘電体層で構成される膜に、１つ以上のナノポアを作製するための装置であって、
共通に使用されるマイクロチャネルが露出面に形成された第１の基板と、
前記第１の基板の前記露出面上に配置され、膜を保持するように構成された支持体と、
内側の面に１本以上のマイクロ流体チャネルが形成された第２の基板であって、前記１本以上のマイクロ流体チャネルが前記膜によって前記共通に使用されるマイクロチャネルから流体的に分離されるように前記内側の面が前記支持体と向かい合うようにして前記支持体上に配置された第２の基板と、
前記膜の一方の側に配置された基準電極と、前記膜の反対側に配置された２つ以上の追加の電極と、を含む一組の電極と、を備え、
前記一組の電極は、前記膜の両側に電位差を発生させ、前記２つ以上の追加の電極は、前記膜全体の前記電場が均一になるように前記膜に対して配置されている、装置。
【請求項２】
前記膜の前記電位差が、０．１ボルト／ナノメートルより大きい値を有する前記電場を生じる、請求項１に記載の装置。
【請求項３】
前記電極のうちの１つに電気的に連結され、前記１本以上のマイクロ流体チャネルのうちの１つと前記共通に使用されるマイクロチャネルとの間を流れる電流を測定するように動作可能な電流センサと、
前記電流センサとインタフェースされたコントローラと、をさらに備え、前記コントローラは、前記膜を貫通するポアの形成を示す前記測定された電流の急な増加を検出し、前記測定された電流の前記急な増加の検出に応答して、前記膜の両側に発生させた電位差を消失させる、請求項１に記載の装置。
【請求項４】
前記２つ以上の追加の電極は、前記膜の上流で前記１本以上のマイクロ流体チャネルに配置された第１の電極と、前記膜の下流で前記１本以上のマイクロ流体チャネルに配置された第２の電極と、を含む、請求項１に記載の装置。
【請求項５】
前記一組の電極は、一方が前記膜の上流、前記他方が前記膜の下流であるように、前記共通に使用されるマイクロチャネルに配置された２つの基準電極を含む、請求項４に記載の装置。
【請求項６】
前記支持体は、前記膜に隣接する領域に形成され、前記第１の基板に設けられた前記共通に使用されるマイクロチャネルと流体的に連結されたテーパ凹部をさらに含む、請求項１に記載の装置。
【請求項７】
複数組の電極と、前記第２の基板の前記内側の面に形成された複数のマイクロ流体チャネルとをさらに備え、前記複数のマイクロ流体チャネルに設けられたマイクロチャネルが各々、関連した一組の電極を有する、請求項１に記載の装置。
【請求項８】
前記支持体上に直接配置され、かつ、前記支持体と前記第２の基板との間に配置された中間層であって、少なくとも１つのビアが形成され、前記ビアの近傍で均一である電場を発生させるように構成されている前記中間層をさらに備える、請求項１に記載の装置。
【請求項９】
前記１本以上のマイクロ流体チャネルは、寸法がミクロンのオーダーである、請求項１に記載の装置。
【請求項１０】
前記１本以上のマイクロ流体チャネルは、寸法がナノメートルのオーダーである、請求項１に記載の装置。
【請求項１１】
対向する平面を画定し、少なくとも１つの誘電体層で構成される膜に、１つ以上のナノポアを作製するための装置であって、
共通に使用されるマイクロチャネルが露出面に形成された第１の基板と、
前記第１の基板の前記露出面上に配置され、膜を保持するように構成された支持体と、
前記支持体上に配置され、少なくとも１つのビアが形成された中間層と、
内側の面に１本以上のマイクロ流体チャネルが形成された第２の基板であって、前記１本以上のマイクロ流体チャネルが前記膜によって前記共通に使用されるマイクロチャネルから流体的に分離されるように前記内側の面が前記支持体と向かい合うようにして前記中間層上に配置された第２の基板と、
前記膜の表裏に配置された一対の電極と、を備え、
前記一対の電極は、前記膜の両側に電位差を発生させ、前記中間層の前記少なくとも１つのビアは、前記１本以上のマイクロ流体チャネルを前記膜の露出面と流体的に連結し、前記ビアの中と周囲で均一な電場を発生させるように構成されている、装置。
【請求項１２】
前記膜の前記電位差が、０．１ボルト／ナノメートルより大きい値を有する前記電場を生じる、請求項１１に記載の装置。
【請求項１３】
前記電極のうちの１つに電気的に連結され、前記１本以上のマイクロ流体チャネルのうちの１つと前記共通に使用されるマイクロチャネルとの間を流れる電流を測定するように動作可能な電流センサと、
前記電流センサとインタフェースされたコントローラと、をさらに備え、前記コントローラは、前記膜を貫通するポアの形成を示す前記測定された電流の急な増加を検出し、前記測定された電流の前記急な増加の検出に応答して、前記膜の両側に発生させた電位差を消失させる、請求項１１に記載の装置。
【請求項１４】
前記少なくとも１つのビアの深さが、前記少なくとも１つのビアの直径より大きい、請求項１０に記載の装置。
【請求項１５】
前記第２の基板は、前記内側の面に形成されたマイクロ流体チャネルのアレイを含み、前記中間層は、各々がマイクロ流体チャネルの前記アレイにおける前記マイクロ流体チャネルのうちの１つと整列配置されるようにして、複数のビアを含む、請求項１０に記載の装置。
【請求項１６】
対向する平面を画定し、少なくとも１つの誘電体層で構成される膜に、１つ以上のナノポアを作製するための装置であって、
共通に使用されるマイクロチャネルが露出面に形成された第１の基板と、
前記第１の基板の前記露出面上に配置され、膜を保持するように構成された支持体と、
内側の面に１本以上のマイクロ流体チャネルが形成された第２の基板であって、前記１本以上のマイクロ流体チャネルが前記膜によって前記共通に使用されるマイクロチャネルから流体的に分離されるように前記内側の面が前記支持体と向かい合うようにして前記支持体上に配置された第２の基板と、
前記膜の表裏に配置された一対の電極と、を備え、
前記一対の電極は、前記膜の両側に電位差を発生させ、前記１本以上のマイクロ流体チャネルは、前記膜の前記領域全体に均一な電場を発生させるようにして前記膜に隣接して通っている、装置。
【請求項１７】
前記一対の電極のうち前記一方が前記１本以上のマイクロ流体チャネルに配置され、前記１本以上のマイクロ流体チャネルが前記電極の下流でループを形成し、前記ループの一部が前記膜の上を通っている、請求項１６に記載の装置。
【請求項１８】
前記１本以上のマイクロ流体チャネルに配置され、前記１本以上のマイクロ流体チャネルを通る流れの量を制御するように動作する制御バルブをさらに備える、請求項１６に記載の装置。
【請求項１９】
前記制御バルブは、空気圧源と流体的に連結され、前記空気圧源によって作動されるエラストマーポリマーとしてさらに規定される、請求項１８に記載の装置。
【請求項２０】
前記第２の基板は、その内側の面に形成されたマイクロ流体チャネルのアレイを含み、前記マイクロ流体チャネルのアレイの各マイクロ流体チャネルは、前記膜の一部を通り、少なくとも２つの制御バルブが内部に配置され、一方のバルブは前記膜の上流に配置され、他方のバルブは前記膜の下流に配置されている、請求項１６に記載の装置。
【請求項２１】
前記膜の前記電位差の前記値は、前記マイクロ流体チャネルのアレイに配置された前記制御バルブを通る流れを調節することによって制御される、請求項２０に記載の装置。
【請求項２２】
膜に１つ以上のナノポアを作製するための装置であって、
共通に使用されるマイクロチャネルが露出面に形成された第１の基板と
前記第１の基板の前記露出面上に配置され、対向する平面を画定し、少なくとも１つの誘電体層で構成される膜と、
内側の面に１本以上のマイクロ流体チャネルが形成された第２の基板であって、前記１本以上のマイクロ流体チャネルが前記膜によって前記共通に使用されるマイクロチャネルから流体的に分離されるように前記内側の面が前記膜と向かい合うようにして前記膜上に配置された第２の基板と、
前記膜の一方の側に配置された２つの基準電極と、前記膜の反対側に配置された２つ以上の追加の電極と、を含む一組の電極と、を備え、
前記一組の電極は、前記膜の両側に電位差を発生させ、前記膜の前記電場が均一になるように前記膜に対して配置されている、装置。
【請求項２３】
前記膜の前記電位差が、０．１ボルト／ナノメートルより大きい値を有する前記電場を生じる、請求項２２に記載の装置。
【請求項２４】
前記電極のうちの１つに電気的に連結され、前記１本以上のマイクロ流体チャネルのうちの１つと前記共通に使用されるマイクロチャネルとの間を流れる電流を測定するように動作可能な電流センサと、
前記電流センサとインタフェースされたコントローラと、をさらに備え、前記コントローラは、前記膜を貫通するポアの形成を示す前記測定された電流の急な増加を検出し、前記測定された電流の前記急な増加の検出に応答して、前記膜の両側に発生させた電位差を消失させる、請求項２２に記載の装置。  
【請求項２５】
前記２つの追加の電極は、前記膜の上流で前記１本以上のマイクロ流体チャネルに配置された第１の電極と、前記膜の下流で前記１本以上のマイクロ流体チャネルに配置された第２の電極と、を含む、請求項２２に記載の装置。
【請求項２６】
前記２つの基準電極は、一方が前記膜の上流、他方が前記膜の下流であるように、前記共通に使用されるマイクロチャネルに配置されている、請求項２５に記載の装置。
【請求項２７】
前記第２の基板の前記内側の面に形成された複数のマイクロ流体チャネルと、複数組の電極とをさらに備え、前記複数のマイクロ流体チャネルに設けられたマイクロチャネルが各々、関連した一組の電極を有する、請求項２２に記載の装置。
【請求項２８】
膜に１つ以上のナノポアを作製するための装置であって、
共通に使用されるマイクロチャネルが露出面に形成された第１の基板と
前記第１の基板の前記露出面上に配置され、対向する平面を画定し、少なくとも１つの誘電体層で構成される膜と、
前記膜上に配置され、少なくとも１つのビアが形成された中間層と、
内側の面に１本以上のマイクロ流体チャネルが形成された第２の基板であって、前記１本以上のマイクロ流体チャネルが前記膜によって前記共通に使用されるマイクロチャネルから流体的に分離されるように前記内側の面が前記支持体と向かい合うようにして前記中間層上に配置された第２の基板と、
前記膜の表裏に配置された一対の電極と、を備え、
前記一対の電極は、前記膜の両側に電位差を発生させ、前記中間層の前記少なくとも１つのビアは、前記１本以上のマイクロ流体チャネルを前記膜の露出面と流体的に連結し、前記ビアの中と周囲で均一な電場を発生させるように構成されている、装置。
【請求項２９】
前記膜の前記電位差が、０．１ボルト／ナノメートルより大きい値を有する前記電場を生じる、請求項２８に記載の装置。
【請求項３０】
前記電極のうちの１つに電気的に連結され、前記１本以上のマイクロ流体チャネルのうちの１つと前記共通に使用されるマイクロチャネルとの間を流れる電流を測定するように動作可能な電流センサと、
前記電流センサとインタフェースされたコントローラと、をさらに備え、前記コントローラは、前記膜を貫通するポアの形成を示す前記測定された電流の急な増加を検出し、前記測定された電流の前記急な増加の検出に応答して、前記膜の両側に発生させた電位差を消失させる、請求項２８に記載の装置。
【請求項３１】
前記少なくとも１つのビアの深さが、前記少なくとも１つのビアの直径より大きい、請求項２８に記載の装置。
【請求項３２】
前記第２の基板は、前記内側の面に形成されたマイクロ流体チャネルのアレイを含み、前記中間層は、各々がマイクロ流体チャネルの前記アレイにおける前記マイクロ流体チャネルのうちの１つと整列配置されるようにして、複数のビアを含む、請求項２８に記載の装置。
【請求項３３】
対向する平面を画定し、少なくとも１つの誘電体層で構成される膜に、１つ以上のナノポアを作製するための装置であって、
共通に使用されるマイクロチャネルが露出面に形成された第１の基板と、
前記第１の基板の前記露出面上に配置され、膜を保持するように構成された支持体と、
内側の面にマイクロ流体チャネルのアレイが形成された第２の基板であって、前記マイクロ流体チャネルのアレイが前記膜によって前記共通に使用されるマイクロチャネルから流体的に分離されるように前記内側の面が前記支持体と向かい合うようにして前記支持体上に配置され、前記マイクロ流体チャネルのアレイの各マイクロ流体チャネルは、前記膜上の一部を通り、一方が前記膜の上流、他方が前記膜の下流になるように少なくとも２つの制御バルブが内部に配置された、第２の基板と、
前記膜の表裏に配置された一対の電極と、を備え、
前記一対の電極は、前記膜の両側に電位差を発生させる、装置。
【発明の詳細な説明】
【技術分野】
【０００１】
関連出願へのクロスリファレンス
本出願は、２０１４年１２月１９日に出願された米国仮出願第６２／０９４，６６９号の優先権の利益を主張する。上記出願の開示内容全体を、本明細書に援用する。
【０００２】
本開示は、固体膜における制御破壊（ＣＢＤ）によるマイクロ流体チャネルにおけるナノポアセンサの作製に関する。
【背景技術】
【０００３】
ナノポアは現在、単一分子を電気的に検出できる十分に確立された非標識センサの類である。この技術は、イオン溶液に浸漬した薄い絶縁膜にあるナノスケールの開口の両側に電圧を印加することに頼っており、得られるイオン電流の変動を、ナノポアを通って電気泳動的に駆動されるＤＮＡやタンパク質などの荷電した個々の生体分子の移動に付随させることができる。こうしたコンダクタンスの変化から、移動している分子の長さ、サイズ、電荷、形状に関する情報が得られる。ＤＮＡシーケンシング、タンパク質の検出とアンフォールディング、単一分子質量分析および力分光法をはじめとする多岐にわたる単一分子研究がゆえ、この技術が特に魅力的なものとなっている。
【０００４】
ナノポアは、脂質二重層膜にタンパク質ポアを組み込むことによって形成されることもあれば、薄い固体膜に作製されることもある。生物学的ポアではノイズ特性を極めて低くすることができるが、支持体として従来利用されている脂質二重層膜が非常に脆いため、ポアの寿命と印加可能な電圧が制限され、よって、いくつかの用途が限定される。一方、固体ナノポアは、印加電圧、温度、ｐＨなどのより広範囲の実験条件でより耐久性が高く、サイズもその場で調整可能である。一般論として、固体ナノポアを用いるほうが、丈夫なラボオンチップデバイスにアレイとして一体化しやすい。事実、最近の研究では、このようなナノポアをマイクロ流体ネットワークに埋め込む様々な一体化戦略が明らかになっている。これらの研究で用いられるナノポアは一般に、高エネルギーのイオンまたは電子ビームを使用して、極めて薄い（１０ｎｍ〜５０ｎｍ）誘電膜（例えば、ＳｉＮ）に構築される。しかしながら、ＦＩＢまたはＴＥＭを用いてナノポアを作製すると、一体化の点で課題が生じる。エネルギー粒子ビームでの穿孔には直進的なアクセスが必要であることから、マイクロ流体デバイスにおける一体化前にナノポアを作製することが求められる。このためには、ナノポアの作製とデバイス組み立ての両方でアライメント要件が厳しくなり、結果として、特に電気ノイズを最小限に抑えるためにマイクロ流体チャネルの寸法を小さくする場合や単膜でのアレイ形成用で、機能的デバイスの歩留まりが制限されるという課題が生じる。より一般的には、これらの従来のナノファブリケーション技術は真空環境下でのナノポア作製に依存しており、必然的に、バイオセンシング実験用の水溶液に移行する際に、取り扱い上のリスクと濡れの問題を招くことになる。
【発明の概要】
【発明が解決しようとする課題】
【０００５】
最近、高電場を利用して固体ナノポアを高信頼度で作製する別の方法が提案され、本明細書では、これを制御破壊（ＣＢＤ）によるナノポア作製という。支持している完全な絶縁膜および一般的な生物センシングの実験条件（例えば、１Ｍ  ＫＣｌ中）では、絶縁膜に絶縁破壊イベントを誘発することで、直径１ｎｍと小さいが１ｎｍ未満の精度で大きなサイズに調整可能な単一のナノポアが形成される。ＣＢＤ法の単純さは、複雑なマイクロ流体アーキテクチャにおけるナノポアセンサの一体化と、将来性のあるラボオンチップデバイスに十分に役立つ。マイクロ流体デバイスに固有の先進的なサンプルハンドリング・処理能力を、その場でのナノポア作製と組み合わせることにより、一体化に伴う様々な問題の緩和と、センシングプラットフォームの応用範囲拡大が期待される。この作製技術に関するさらなる詳細については、発明の名称が「Ｆａｂｒｉｃａｔｉｏｎ  ｏｆ  Ｎａｎｏｐｏｒｅｓ  ｕｓｉｎｇ  Ｈｉｇｈ  Ｅｌｅｃｔｒｉｃ  Ｆｉｅｌｄｓ」であり、内容全体が本明細書に援用される、米国特許出願公開第２０１５／０１０８８０８号から明らかである。
【０００６】
このセクションは、必ずしも先行技術ではない本開示に関する背景情報を提供する。
【課題を解決するための手段】
【０００７】
このセクションは、開示の大ざっぱな概要を提供するものであり、その全範囲またはそのすべての特徴の包括的な開示ではない。
【０００８】
膜に１つ以上のナノポアを作製するための装置が提示される。この装置は、共通に使用されるマイクロチャネルが露出面に形成された第１の基板と、第１の基板の露出面上に配置され、膜を保持するように構成された支持体と、内側の面に１本以上のマイクロ流体チャネルが形成された第２の基板であって、１本以上のマイクロ流体チャネルが膜によって共通に使用されるマイクロチャネルから流体的に分離されるように内側の面が支持体と向かい合うようにして支持体上に配置された第２の基板と、膜の両側に電位差を発生させる一組の電極と、を含む。一組の電極は、膜の一方の側に配置された基準電極と、膜の反対側に配置された２つ以上の追加の電極とを含み、２つ以上の追加の電極は、膜全体の電場が均一になるように膜に対して配置されている。いくつかの実施形態では、膜の両側の電位差が、０．１ボルト／ナノメートルより大きい値を有する電場を生じる。
【０００９】
この装置は、電極のうちの１つに電気的に連結され、１本以上のマイクロ流体チャネルのうちの１つと共通に使用されるマイクロチャネルとの間を流れる電流を測定するように動作可能な電流センサと、電流センサとインタフェースされたコントローラと、をさらに含み、コントローラは、ポアの形成を示す測定された電流の急な増加を検出し、測定された電流の前記急な増加の検出に応答して、膜の両側に発生させた電位差を消失させる。
【００１０】
一実施形態では、２つ以上の追加の電極は、膜の上流で１本以上のマイクロ流体チャネルに配置された第１の電極と、膜の下流で１本以上のマイクロ流体チャネルに配置された第２の電極と、を含む。
【００１１】
いくつかの実施形態では、第２の基板の内側の面に複数のマイクロ流体チャネルが形成されている。各々のマイクロチャネルは、関連した一組の電極を有する。このように、ナノポアのアレイ（マイクロ流体チャネルの数に対応）を膜に作製することができる。
【００１２】
他の実施形態では、膜は、支持体を使用せずに第１の基板上に直接配置されていてもよい。このような実施形態では、一組の電極は、一方が膜の上流、他方が膜の下流であるように共通に使用されるマイクロチャネルに配置された２つの基準電極を含んでもよい。
【００１３】
本開示のもうひとつの態様では、中間層が、支持体上に直接配置され、よって、支持体と第２の基板との間に配置されている。この場合、膜に１つ以上のナノポアを作製するための装置は、共通に使用されるマイクロチャネルが露出面に形成された第１の基板と、第１の基板の露出面上に配置され、膜を保持するように構成された支持体と、支持体上に配置され、少なくとも１つのビアが形成された中間層と、内側の面に１本以上のマイクロ流体チャネルが形成された第２の基板であって、１本以上のマイクロ流体チャネルが膜によって共通に使用されるマイクロチャネルから流体的に分離されるように内側の面が支持体と向かい合うようにして中間層上に配置された第２の基板と、膜の表裏に配置された一対の電極と、を含む。一対の電極は、膜の両側に電位差を発生させる。中間層の１つ以上のビアは、１本以上のマイクロ流体チャネルを膜の露出面と流体的に連結し、ビアの中と周囲で均一な電場を発生させるように構成されている。いくつかの実施形態では、膜の両側の電位差が、０．１ボルト／ナノメートルより大きい値を有する電場を生じる。
【００１４】
この装置は、電極のうちの１つに電気的に連結され、１本以上のマイクロ流体チャネルのうちの１つと共通に使用されるマイクロチャネルとの間を流れる電流を測定するように動作可能な電流センサと、電流センサとインタフェースされたコントローラと、をさらに含み、コントローラは、ポアの形成を示す測定された電流の急な増加を検出し、測定された電流の前記急な増加の検出に応答して、膜の両側に発生させた電位差を消失させる。
【００１５】
いくつかの実施形態では、第２の基板の内側の面に複数のマイクロ流体チャネルが形成されている。各々のマイクロチャネルは、関連した一組の電極を有する。このように、ナノポアのアレイ（マイクロ流体チャネルの数に対応）を膜に作製することができる。
【００１６】
他の実施形態では、膜は、支持体を使用せずに第１の基板上に直接配置されていてもよい。このような実施形態では、一組の電極は、一方が膜の上流、他方が膜の下流であるように共通に使用されるマイクロチャネルに配置された２つの基準電極を含んでもよい。
【００１７】
本開示のさらに別の態様では、１本以上のマイクロ流体チャネルは、膜の領域全体に均一な電場を発生させるようにして膜に隣接して通っているため、必要な電極の数が低減される。一実施形態では、マイクロ流体チャネルがチャネルに配置された電極の下流でループを形成し、ループの一部が膜の上を通っている。
【００１８】
いくつかの実施形態では、１つ以上の制御バルブがマイクロ流体チャネルに配置され、マイクロ流体チャネルを通る流れの量を制御するように動作する。制御バルブは、空気圧源に流体的に連結され、この空気圧源によって作動されるエラストマーポリマーによって実現されてもよい。
【００１９】
いくつかの実施形態では、第２の基板の内側の面に複数のマイクロ流体チャネルが形成されている。各々のマイクロチャネルは、関連した一組の電極を有する。このように、ナノポアのアレイ（マイクロ流体チャネルの数に対応）を膜に作製することができる。また、マイクロ流体チャネルのアレイの各マイクロ流体チャネルは、膜の一部を通り、少なくとも２つの制御バルブが内部に配置され、一方のバルブは膜の上流に配置され、他方のバルブは前記膜の下流に配置されている。このように、マイクロ流体チャネルのアレイに配置された制御バルブを通る流れを調節することによって、膜の両側の電位差の値が制御される。
【００２０】
本明細書で提供される説明から、さらに利用可能な領域が明らかになるであろう。このサマリーにおける説明および具体例は、例示のみを目的としており、本開示の範囲を限定するものではない。
【００２１】
本明細書で説明される図面は、選択された実施形態の例示のみを目的とし、可能なすべての実現形態ではなく、本開示の範囲を限定することを意図するものでもない。
【００２２】
図面の複数の図をとおして、対応する参照符合は対応する部分を示す。
【図面の簡単な説明】
【００２３】
【図１】図１は、膜の片側に電極が１つ挿入された、ナノポアを作製するための装置の概略図である。
【図２】図２Ａおよび図２Ｂは、５本の独立したマイクロ流体チャネルを有する装置の例示的な実施形態の断面図であり、それぞれ膜の上に直接配置された５本のマイクロ流体チャネルを有する装置の上から撮影された反射光学像を示す。
【図３】図３Ａから図３Ｃは、図２Ａに示す装置の組立方法の一例を示す概略図である。
【図４】図４Ａから図４Ｃは、膜の表面領域全体に均一な電場を発生させるのに使用できる、異なる電極配置を示す概略図である。
【図５】図５Ａおよび図５Ｂは、マイクロビア層を有する装置の第２の例示的な実施形態の断面図であり、膜の上に直接配置されているが、マイクロビア層によって膜から隔離された５本のマイクロ流体チャネルを有する装置の上から撮影された反射光学像を示す。
【図６】図６Ａおよび図６Ｂは、それぞれ、マイクロ流体ビアのある装置とない装置における電場の有限要素モデリングを示す画像である。図６Ｃおよび図６Ｄは、それぞれ、図６Ａおよび図６Ｂに示されるナノポアを囲む電場の画像を拡大したものである。図６Ｅは、１０Ｖの電圧を印加した場合（ナノポア作製の場合のように）、厚さ２０ｎｍのＳｉＮ膜の途中の面に沿って測定した電場の大きさを示すグラフである。図６Ｆは、マイクロビアのない装置の電場の大きさを示すグラフである。
【図７】図７Ａおよび図７Ｂは、（ａ）１０ＶでＣＢＤによるナノポア形成の数秒前にＳｉＮ膜を通るリーク電流、（ｂ）単一の５チャネルデバイス上に独立して作製された５つのナノポアに対するコンダクタンスに基づくモデルを用いてナノポア直径を推測するのに使用される電流−電圧（Ｉ−Ｖ）曲線を示すグラフである。
【図８】図８Ａおよび図８Ｂは、マクロ的なセル（黒）、５チャネルデバイス（青色）、マイクロビアのある５チャネルデバイス（赤色）の（ａ）パワースペクトル密度（ＰＳＤ）ノイズ比較、（ｂ）電流トレースを示すグラフである。すべての測定は、電圧を印加せず、ナノポアを作製せずに行われ、２５０ＫＨｚでサンプリングし、ｐＨ７．５の１Ｍ  ＫＣｌ中、４極ベッセルフィルタによって１００ｋＨｚでローパスフィルタリングした。
【図９】図９Ａおよび図９Ｂは、（ａ）１０．５ｎｍのポアを用いた、印加電圧−２００ｍＶでのヒトα−トロンビン検出、（ｂ）−２００ｍＶ（黒四角）、−２５０ｍＶ（赤三角）、−３００ｍＶ（青丸）で１１．５ｎｍのポアを通る１０ｋｂ  ｄｓＤＮＡの移動について、正規化した平均電流ブロック（０％はポアが完全に開いた状態、１００％はポアが完全にブロック状態を示す）とトータルのイベント時間を示す散布図である。それぞれのデータポイントが、単一のイベントを表す。挿入図は、生体分子がナノポアと相互作用するときの一時的な電流ブロックを示す。明確にするために、挿入図ではデータに−１を乗算した。
【図１０】図１０Ａおよび図１０Ｂは、制御チャネルに圧力を印加していない場合と印加した場合の例示的なマイクロメカニカル空気バルブの断面図である。
【図１１】図１１は、５対の空気バルブを備え、１対の電極を使用する５×１アレイデバイスの概略上面図である。
【図１２】図１２は、２つの上側の電極を使用する５×１アレイデバイスの概略上面図である。
【図１３】図１３は、２対の空気バルブと２つの上側の電極を有する２×１アレイデバイスの概略上面図である。
【発明を実施するための形態】
【００２４】
例示的な実施形態を、添付の図面を参照してより完全に説明する。
【００２５】
図１は、膜１２に１つ以上のナノポアを作製するための装置１０を示す。この装置は主に、上側の（第１の）基板１４、下側の（第２の）基板１５、上側の基板１４と下側の基板１５との間に配置された支持体１６からなる。支持体１６は、対向する平面１３を画定する誘電薄膜１２を保持するように構成されている。例示目的で、上側の基板１４には単一のマイクロ流体チャネル４が形成され、これより大きな共通に使用されるマイクロ流体チャネル５が、下側の基板１５に形成されている。電圧源１８に電気的に連結された１対の電極１７を使用し、マイクロ流体チャネル４、５の各々に１つずつ電極をおいて、膜の両側に電位差を発生させる。以下でさらに説明するように、電極を異なる配置にして装置に上述したよりも多くのマイクロ流体チャネルを設けてもよい。
【００２６】
装置１０はさらに、一方の電極に電気的に連結された電流センサ（図示せず）と、電流センサおよび電圧源１８とインタフェースされたコントローラ１９とを含む。動作時、電流センサは、膜を通って流れる電流を測定する。そしてコントローラ１９が測定された電流の急な増加を検出し、測定された電流の急な増加の検出に応答して、以下でさらに説明するように、膜を挟んで両側に発生させた電位差を消失させる。
【００２７】
図２Ａおよび図２Ｂは、装置１０’の例示的な実施形態をさらに示す。この例示的な実施形態では、５００×５００μｍ２で厚さ２０ｎｍの露出したＳｉＮ膜（ＳｉＭＰｏｒｅ  Ｉｎｃ．  ＳＮ１００−Ａ２０Ｑ０５）を有する市販のシリコンチップ（例えば、フレームサイズ３ｍｍ）が支持体１６として機能し、これをアーキテクチャの異なる複数のマイクロ流体チャネルアレイ間に実装した。図２Ａを参照すると、本明細書に提示された装置１０’は、独立して扱うことが可能な５本のマイクロ流体チャネル２１を膜１２の片側に含む形状を利用し、膜１２の反対側には、１本の共通に使用されるマイクロチャネル２２で通じていた。具体的には、装置１０’は、図２Ｂで最もよくわかる、膜１２で幅１５μｍまで次第に細くなる幅２００μｍの太いチャネル（高さ５０μｍ）である独立した５本のマイクロ流体チャネル２１からなるアレイを含んでいた。独立した５本のチャネル２１は各々、互いに２５μｍずつ離れている。この実施形態では、独立した５本のマイクロ流体チャネルを示したが、他の実施形態では、これよりも多いまたは少ない数のマイクロ流体チャネルを形成してもよいことは、容易に理解できよう。
【００２８】
例示的な実施形態では、ソフトフォトリソグラフィで作成したマスターモールドからパターン形成したポリジメチルシロキサンＰＤＭＳ（Ｄｏｗ  Ｃｏｒｎｉｎｇから入手したＳｙｌｇａｒｄ  １８４、７：１（ｗ／ｗ）比）を使用して、ソフトリソグラフィで各層を作製した。すべての構成において、一番下の層は、スライドガラスに接着した（酸素プラズマ接着、ＡｕｔｏＧｌｏｗ  Ｒｅｓｅａｒｃｈ）幅２５０μｍ×高さ１００μｍの単一の流体チャネル２２を含む約３ｍｍ厚のＰＤＭＳ層からなっていた。ナノポアまで流体を通すことができるように、シリコンチップのエッチング側を上に載置した下側の共通に使用されるマイクロチャネル２２に、２ｍｍの穴を手で穿孔した。その後、ＰＤＭＳの薄層（１００±１０μｍ）をチップ１６の周りにスピンコートして、シリコンチップの厚さを補正し、複数のマイクロ流体チャネルを接着できる滑らかでシールされた表面を残した。スピンコーティングの後、このＰＤＭＳ薄層を８０℃のホットプレート上で２０分間、硬化させた。
【００２９】
図３Ａ〜図３Ｃは、この作製プロセスをさらに示す。提示されたデバイスは、ポリジメチルシロキサン（ＰＤＭＳ）で作られたマイクロ流体デバイスにおいて、市販の窒化ケイ素（ＳｉＮ）膜（ＳＮ１００−Ａ２０Ｑ０５、ＳｉＭＰｏｒｅ  Ｉｎｃ．）を一体化するものである。ＰＤＭＳ層については、ソフトリソグラフィで作製し、シリコンウェハ上のＳＵ８−２０５０フォトレジスト（Ｍｉｃｒｏｃｈｅｍ  Ｉｎｃ．）からなるマスターモールドから複製した。得られる特徴の最終的な所望の厚さ（高さ）に応じて、異なるスピン速度、焼成時間および温度、ＵＶ露光および現像時間を用いて、各マイクロ流体層（マイクロ流体ビア、独立したチャネル層および共通に使用されるチャネル層）を作製した。
【００３０】
各マスターモールドの作製に続いて、まずウエハをアミノシランで処理してＰＤＭＳを除去しやすくした。次に、ＰＤＭＳ（全ての層で７：１（ｗ／ｗ）ベース：硬化剤）を各チャネル層用のマスターモールドに注ぎ、続いて真空チャンバ内で３０分間脱気し、８０℃で２時間焼成した。その後、硬化したＰＤＭＳを離型してマイクロチャネル構造を作製した。次に、個々のデバイスコンポーネントを切り出し、独立したチャネル（流体チューブの場合は外径０．７５ｍｍ、電極の場合は外径１．２５ｍｍ）に流体および電極導入のためのアクセス穴を穿孔した。共通に使用されるマイクロチャネルの中央に２．０ｍｍの穴を手で穿孔して、チップの底に流体を通すことができるようにした。図３Ａを参照して、酸素プラズマ（Ｇｌｏｗ  Ｒｅｓｅａｒｃｈ  ＡｕｔｏＧｌｏｗ）を用いて、穿孔した穴の上の共通チャネル層にシリコンチップ（エッチングされた側）を接着した。すべてのプラズマ接着工程を３０Ｗで３０秒間行った。
【００３１】
シリコンチップの厚さを補正し、（マイクロ流体ビア層のある場合とない場合の）両方の構成で独立した（上側の）チャネルを接着するための平坦で平滑な表面を残すために、ＰＤＭＳの薄層（約１００±１０μｍ）をチップの周りにスピンコートした（５００ｒｐｍで５秒、続いて１０００ｒｐｍで１０秒）。この薄層をホットプレートに直接置いて８０℃で２０分間、硬化させた。
【００３２】
マイクロ流体チャネルに流体を通すことができ、電気が通じるようにするために、電解質（またはイオン）溶液が流れるＰＥＥＫチューブとＡｇ／ＡｇＣｌ電極を密着させる接着の前に、流体的に分離された上側のチャネルと下側の共通に使用されるチャネルの各々に穴を穿孔した。膜の中心から約５ｍｍの位置に電極を配置することにより、ナノポアまで至るマイクロチャネルの抵抗が１Ｍ  ＫＣｌ電解質溶液中で約１００ｋΩすなわち、直径１０ｎｍのナノポアを含むデバイスの全電気抵抗の約１％未満に制限される。最後に、共通に使用されるチャネルを清潔なスライドガラスに接着した。以上、特定の作製技術について言及したが、他のリソグラフィ技術も本開示の範囲に含まれることは理解できよう。
【００３３】
マイクロ流体チャネルに電解質溶液を導入する直前に、組み立てたデバイスを７０Ｗで５分間酸素プラズマ処理し、マイクロチャネルの親水性を高めた。次に、マイクロ流体チャネルをポリエチレンチューブでサンプルバイアルに接続し、高精度の圧力調整器を用いてバイアルを加圧してフローを開始した。１Ｍ  ＫＣｌ溶液（ｐＨ７．５）を流し、適度の印加電圧（例えば、０．２Ｖ〜１Ｖ）下でマイクロ流体チャネル間のイオン電流を測定しようとすることで、ナノポアの作製前に、マイクロ流体チャネル間の効果的なシール（＞１０ＧΩ）を試験した。
【００３４】
装置の機能性を向上させるために、装置の製造に使用するマイクロ流体材料からコンタミナントやモノマーを除去する必要がある。特に、ポリジメチルシロキサン（ＰＤＭＳ）片についてはデバイスの組み立て前に溶媒で化学処理すべきであり、プラズマ処理を用いれば、マイクロ流体一体化の結果として膜の表面にあるコンタミナントを除去することができる。
【００３５】
本開示の一態様によれば、マイクロ流体チャネルに電極を配置すると、絶縁膜の領域全体で均一な電場につながるはずである。図４Ａ〜図４Ｄに見られるようなマイクロ流体アーキテクチャに応じて、様々な電極配置を使用できる。薄い絶縁膜に単一のマイクロチャネルを配置する場合、マイクロ流体チャネルの下流側のどこかで膜の片側に配置した１対の電極が、膜表面全体に不均一な電場を生じることになる。しかしながら、同一のマイクロ流体チャネルにおいて同じ電位にバイアスさせた２つの電極を膜の両側に配置すると（すなわち、一方の電極が膜の上流、他方の電極は膜の下流にある）、図４Ａに最もよく見られるように、電場の均一性を高めることができる。この例では、一組の電極３０を用いて膜１２の両側に電位差を発生させる。一組の電極３０は、膜の下に位置する基準電極３３と、膜の上に位置する２つ以上の追加の電極３２とを含む。具体的には、２つの電極３２は、上側の基板のマイクロ流体チャネルに配置されるのに対し、基準電極３３は、下側の基板の共通に使用されるマイクロ流体チャネルに配置される。２つの追加の電極３２は、膜全体の電場が均一になるように膜に対して配置される。例えば、追加の電極３２のうち一方が膜の上流に配置され、追加の電極３２のうち他方は膜の下流に配置されてもよい。２つの追加の電極の他の配置も、本開示によって企図される。
【００３６】
図２Ａを参照すると、支持体１６の下面は、ビアが果たす役割と同様に電場を均一に形づくるのを助けるテーパ凹部１３を含み、それによって単一の基準電極３３を使用できるようになる。
【００３７】
いくつかの実施形態では、膜１２は、支持体１６を使用することなく、下側の基板１５の上に直接配置され、この基板によって支持されてもよい。これらの実施形態では、図４Ｃに見られるように、第２の基準電極３３を膜の下側に配置することができる。特に、一方の基準電極３３は膜の上流に配置され、他方の２つの基準電極３３は膜の下流に配置されてもよい。このようにして、２つの基準電極３３は、膜に近接した電極場を均一に形づくるように機能する。
【００３８】
図４Ｂは、別の電極配置を示す。この配置では、膜表面全体で同様に均一な電場を達成するために、イオン溶液の入ったループ状のマイクロ流体チャネル３６に単一の電極３５が配置されている。マイクロ流体チャネル３６は、電極３５の下流にループを形成し、ループの一部分が膜の上を通っている。そのような装置のバルブが加圧され、下の流路を閉鎖する。ナノポア作製プロセスの間に、バルブの圧力が解除されることになる（マイクロ流体チャネルが開放される）。このように、ループ状のチャネルを通る電解質溶液の存在がゆえ、電場が均一に形づくられる。上記の構成は、（例えば、図１１に見られるように）マイクロバルブ技術を使用するいくつかのマイクロ流体チャネルに合わせて規模を変えることができる。この別の構成では、図４Ａとの関連で説明したように単一の基準電極３３を膜の下に配置してもよいし、図４Ｂとの関連で説明したように、２つの基準電極を使用してもよいことが、理解される。
【００３９】
同様に均一な電場を達成するために、マイクロ流体チャネルでマイクロ電極をパターン化することもできる。これらの表面パターニングされた電極は、同じ電位に保持され、上述のように配置されて、均一な電場を生じることができる。絶縁膜を中心とする円形の電極も、電場の均一性を保証することができる。パターン化された単一の微小電極については、絶縁膜の真上または個々のマイクロ流体チャネル各々の中でパターニングすることができる。このような表面でパターン化された電極は、ナノポアの大規模なアレイが形成される場合があるカスタム設計のチップで特に有益であろう。均一な電場を生じる電極配置の他の変形例も、本開示によって企図される。
【００４０】
本開示の別の態様では、マイクロ流体システムにマイクロビアを加え、ビアの中とその周囲で電場を形成しやすくすることができる。図５Ａおよび図５Ｂは、装置１０’’の第２の例示的な実施形態を示す。この実施形態では、装置は同じく、上側の基板１４、下側の基板１５、上側の基板と下側の基板との間に配置された支持体１６で構成される。支持体１６は、対向する平面１３を画定する誘電薄膜１２を保持するように同様に構成されている。この実施形態では、支持体１６上に中間層１９が形成され、上側の基板１４と支持体１６との間に配置されている。中間層１９に１つ以上のビア５１を形成し、ビアの中とその周りに均一な電場を生じるように構成することができる。
【００４１】
この第２のマイクロ流体構成は、各マイクロチャネルでのＣＢＤによるナノポア形成を膜の中央に局在化させ、イオン溶液に曝露される膜の面積を最小化することによって高周波電気ノイズをさらに低減するように設計された。この第２の構成では、幅が１５μｍと一定で長さが４０μｍから１２０μｍまで変化する矩形の開口がアレイ状に設けられた厚さ２００μｍのＰＤＭＳ層を使用して、膜の中心を覆う十分に画定された領域にマイクロ流体チャネルを連結するマイクロ流体ビアを形成した。独立したチャネルを接着できる薄い（２００μｍ）マイクロ流体ビア層を作製するために、脱気したＰＤＭＳをそのマスターモールドにスピンコートし（５００ｒｐｍで５秒、続いて８００ｒｐｍで１０秒間）、ホットプレートに直接置いて８０℃で３０分間、硬化させた。ＳｉＮ膜の上にマイクロ流体ビアと独立したチャネル層を正確に配置するために、すべてのアライメントステップを、ＯＡＩ  ＤＵＶ／ＮＵＶマスクアライナー（モデル２０６）を用いて行った。次に、この層を初期設計と同様に独立した５本のＰＤＭＳマイクロ流体チャネルのアレイに接着した。上述の点を除いて、装置１０’’の第２の実施形態を、図３Ａ〜図３Ｃとの関連で説明した方法と同じ方法で作製した。
【００４２】
マイクロ流体構成にマイクロビア層を追加することの効果を理解するために、（マイクロ流体ビアがある場合とない場合の）両方のデバイス形状における電場の有限要素モデルを調査した。デバイスの構成を２Ｄで作成し、ＣＯＭＳＯＬ  Ｍｕｌｔｉｐｈｙｓｉｃｓ  Ｍｏｄｅｌｉｎｇ  ＳｏｆｔｗａｒｅのＥｌｅｃｔｒｉｃ  Ｃｕｒｒｅｎｔｓモジュールにおけるコンピュータ上の研究を使用して、電場をモデル化した。両方の形状を、最初に完全な膜（すなわち膜に水溶液の流通がない）で調べ、次いでナノポアあり（膜に２０ｎｍの流体導管がある状態）で調べた。
【００４３】
図６Ａは、独立したマイクロチャネルが膜上に直接配置されたデバイスの形状を示し、図６Ｂは、マイクロ流体ビアを含むデバイスを示す。どちらのデバイスも、膜の中心に２０ｎｍのポアを含む。図６Ｄのナノポアを囲む領域の拡大図から、マイクロ流体ビア構成におけるナノポアのすぐ近くの電場が、膜とポアで比較的均一であることがわかる。これは、電場の強度が、膜の両側のナノポアから均一に減衰するという事実によって際立つ。さらに、両電極がナノポアの左側まで３ｍｍの位置に配置されているにもかかわらず、電場線が左から右に対称である。一方、図６Ｃは、同じ条件下で、マイクロ流体ビアのないデバイスでは電場線が完全に不均一であることを示している。電場線と電場強度はいずれも、膜の全体でも、独立した（上側の）マイクロチャネルで左から右でも異なっている。
【００４４】
これらの構成での電場の形状をさらに研究すると、ＣＢＤを用いたナノポア作製が、非対称な電極配置によっても影響され得ることがわかる。図６Ｅは、マイクロ流体ビアのあるデバイスと、マイクロ流体ビアのないデバイスにおける完全な膜の水平断面を通る電場の大きさを示す。この例では、実際に使用されるナノポア作製条件をシミュレートするために、膜を横切る１０Ｖの電圧を印加した。マイクロ流体ビアを含むデバイスは、露出した膜の長さ全体で均一な電場を示すが、独立した（上側の）マイクロチャネルが膜上に直接配置されたデバイスは、電極が配置される側に近いほど強い電場を示す。
【００４５】
両方の例示的な実施形態では、膜の上で一体化された独立したマイクロ流体チャネルの各々で絶縁破壊イベントを誘発することで、個々のナノポアを作製した。簡単に説明すると、これはカスタムビルドの電子回路を用いて高電場を印加して行った。共通に使用される接地したマイクロチャネルとの１０Ｖ〜１４Ｖの電圧を、独立したマイクロ流体チャネルの１つに印加し、数分または数秒でナノポアを作製した。膜の両側の電位差は、１ナノメートルあたり０．１ボルトより大きい値を有する電場を生じる。また、この電圧は、ＳｉＮ膜を通るリーク電流を誘発した。これをリアルタイムで監視する（図７Ａ参照）。単一ナノポアの形成は、あらかじめ定められた閾値を超えるリーク電流の突然の急な増加によって検出され、それによって印加電圧は０．１秒の応答時間でカットオフされる。閾値電流および応答時間を変化させ、破壊イベントに続いて所望の結果として得られるナノポアサイズを達成することができるが、本明細書で説明するサイズは、典型的には直径２ｎｍ未満（タイトなカット条件）であった。次に、このプロセスを、上側の流体的に分離された各マイクロチャネルで繰り返し、単一の膜上であるが異なるマイクロ流体チャネルにおいて、独立して扱うことが可能なナノポアを形成する。ナノポアの作製後、Ａｘｏｐａｔｃｈ  ２００Ｂ（Ｍｏｌｅｃｕｌａｒ  Ｄｅｖｉｃｅｓ）低雑音電流増幅器を用いて、電気的キャラクタリゼーションと単一分子センシングのセンシティブな測定を行った。
【００４６】
特定の生体分子を検出するための所望の大きさのナノポアを得るために、各ナノポアを上述のように作製し、膜の両側に−５Ｖおよび＋５Ｖのパルスを交互に印加することで形づくった高電場を用いて調整した。この処理を用いて電気ノイズ特性を最適化した上、マクロ的な流体リザーバを用いる過去の研究で報告された結果と同等の結果になる実験をさらに行うために、詰まったナノポアを回復させる。このコンディショニング技術に関するさらなる詳細は、発明の名称が「Ｍｅｔｈｏｄ  ｆｏｒ  Ｃｏｎｔｒｏｌｌｉｎｇ  ｔｈｅ  Ｓｉｚｅ  ｏｆ  Ｓｏｌｉｄ−Ｓｔａｔｅ  Ｎａｎｏｐｏｒｅｓ」である米国特許出願公開第２０１５／０１０９００８号に見いだすことができ、その内容全体を本明細書に援用する。
【００４７】
ＣＢＤによって作製された各ナノポアの直径を推測するために、印加電圧を−２００ｍＶから＋２００ｍＶまで掃引する際に各ナノポアを通過するイオン電流を監視することで、ナノポアのコンダクタンスＧを溶液中で直接測定した。円筒形を想定し、アクセス抵抗３０を考慮することによって、ナノポアの有効直径ｄを、そのコンダクタンスから以下の関係式で計算することができる。
【００４８】
2018508745.tif 000003
【００４９】
式１において、σは電解質のバルク伝導度であり、Ｌは、ＳｉＮ膜の公称厚さと等しいと仮定したナノポアの有効長である。図２（ｃ）の電流−電圧（Ｉ−Ｖ）曲線は、単一の５チャネルデバイスにおいて、サイズが３ｎｍ〜１０ｎｍである独立して形成された５つのナノポアについて、１Ｍ  ＫＣｌ（ｐＨ７．５）（σ＝１０．１±０．１Ｓｍ−１）におけるオーミック応答を示す。式１の表面電荷からの寄与を無視することによって生じる誤差は、ここで使用する高塩濃度の場合に、ナノポアの算出有効直径の精度に＜０．５ｎｍだけ影響を及ぼし、電解質伝導度と膜厚の値に起因する誤差は、ナノポア直径の不確実さに約０．３ｎｍの影響を及ぼす。
【００５０】
性能をさらに特徴づけるために、イオン電流のパワースペクトル密度プロット（ＰＳＤ）を、２つのマイクロ流体アーキテクチャのそれぞれで作製したナノポアについて取得した（図８Ａ参照）。低周波ノイズ（１ｋＨｚ未満）は一般に１／ｆタイプであるが、高周波ノイズは電解質溶液に曝露される表面領域で生じるデバイスの誘電特性とキャパシタンスに左右される。したがって、溶液に曝露される表面を最小にすることにより、この高周波ノイズの低減につながり、高帯域幅での生体分子センシング時の信号対雑音比が大幅に改善される。これを図８Ａに示す。ここでは、両方の５チャネルデバイス（マイクロビアのある場合とない場合）を、標準的なマクロ流体セルの流体リザーバの間に取り付けたナノポアチップと比較している。この高い周波数範囲では、（マイクロビアなしの）５チャネルマイクロ流体デバイスは、マクロ的なセルで得られたものに匹敵するノイズ特性を示す。この結果は、このレジームのノイズが、マクロ的リザーバで約３×１０５μｍ２、標準的な５チャネルデバイスのマイクロチャネルで約２×１０５μｍ２と算出された、膜の露出領域の量に起因するという議論と一致する。しかしながら、５チャネルデバイスの最小のマイクロビア（４０×１５μｍ２）を使用して、膜の露出領域が３５０分の１の約６×１０２μｍ２まで小さくなると、高周波ノイズが大幅に低減される。このノイズ低減は、図８Ｂに示す電圧を印加しない各デバイスのベースラインのイオン電流トレースによってさらに際立つが、ここで、１００ｋＨｚ帯域幅でのピークツーピークノイズは、マイクロビアのある構成では２分の１に減少（帯域幅１０ｋＨｚで５）し、ＲＭＳノイズは１０ｋＨｚで７分の１、１００ｋＨｚの帯域幅では２分の１に減少する。
【００５１】
図９Ａおよび図９Ｂを参照し、生体分子の移動を観察することによって、これらのデバイスの機能性を評価した。いずれの場合も、上述したように、まずはナノポアを作製し、所望の直径に拡大した。サンプルの導入後、圧力調整器をオフにすることによって、マイクロ流体チャネルにおける流れを最小限にした。図９Ａは、２５０μＭ濃度の個々のヒトα−トロンビン（Ｈａｅｍａｔｏｌｏｇｉｃａｌ  Ｔｅｃｈｎｏｌｏｇｉｅｓ，Ｉｎｃ．）分子が、１Ｍ  ＫＣｌ（ｐＨ８．０）において（ビアなしで）マイクロ流体チャネルの１０．５ｎｍのナノポアを用いて検出されるときのコンダクタンスの遮断と期間の散布図を示す。ここでは、５本の独立した上側のマイクロ流体チャネルのうちの１本にタンパク質分子をロードし、接地した下側の共通に使用されるチャネルに対して−２００ｍＶでバイアスさせた。全体に、５，０００を超える個々のイベントが観察された。図９Ｂは、マイクロビアを含むマイクロチャネルに局在化された、１１．５ｎｍの異なるナノポアを通るＤＮＡ移動イベントについての同様の散布図を示す。ここでは、２Ｍ  ＫＣｌ（ｐＨ１０）中の１０ｋｂｐのｄｓＤＮＡの３ｐＭ溶液を上側のマイクロチャネルに加え、共通に使用されるチャネルに対して−２００ｍＶ、−２５０ｍＶ、−３００ｍＶのバイアスを印加し、１，５００を超える移動イベントを得た。タンパク質と単一レベルのｄｓＤＮＡでの両方のイベントで得られたコンダクタンスブロックの大きさが、過去に報告された、標準的なマクロ流体セルを用いたモデルおよび実験と一致することは注目に値する。
【００５２】
この手法を使用してナノポアを一体化する場合、マイクロ流体設計を慎重に考慮する必要がある。膜上に直接配置されたマイクロ流体チャネルにおいて一体化されたナノポア（マイクロビアなし）は、試験対象となったデバイスの３０％（３０個のうち９個）でタンパク質性の試料を捕捉して検出することができたが、核酸の移動を示すことができるデバイスの捕捉効率と実験収率は著しく減少した。ここで、実験収率を定義するのに使用される基準は、１０００より多い生体分子移動イベントを検出できるデバイスである。膜に通じるマイクロ流体チャネルに電極を配置すると、上側のマイクロチャネルが単一の電極のみを含む場合には、ナノポア付近や膜で電場の不均一性を生じることに留意することが重要である。この非対称性がゆえ、ＰＤＭＳマイクロチャネル層への接着時に、より応力を受け得る領域である膜の縁付近（シリコン支持チップの縁付近）に、ナノポアが作製される可能性がある。この領域では、ナノポアの近傍の膜の表面電荷特性がゆえ、あまり荷電していないポリペプチドを通過させつつ、高電荷の大きな核酸ポリマーの移動が静電的に妨害されることがある。しかしながら、マイクロビアを導入すると、ナノポアの作製が膜の中央または縁から離れた意図した領域に局在化され、ｐＨ１０で試験した４つのデバイスのうち３つで、より対称的な電場となる。上述したように、膜の片側で上側の独立したチャネルに同じ電位でバイアスされた電極の対を組み込むことによって、電場のこの非対称性を減らすことも可能である。この構成では、ｐＨ８で試験した６つのデバイスのうち５つで、少なくとも１０００個の生体分子移動イベントの検出に成功した。
【００５３】
本開示のさらに別の態様において、マイクロバルブ技術は、マイクロ流体の大規模一体化を達成する上で役割を果たすことができる。機能的に信頼性の高いマイクロバルブの開発は、完全自動化マイクロ流体システムの小型化と商業化を成功させるための重要な一ステップでもある。マイクロバルブは、流体の流れを制御し、マイクロ流体ネットワーク全体に電気／イオン電流を流すのに使用される。マイクロ流体デバイスにおいてバルブを取り入れるために、スクリューバルブ、空気圧バルブ、ソレノイドバルブなどの様々な手法を使用することができる。
【００５４】
図１１は、空気圧駆動のマイクロバルブ技術を使用する装置１１０の例示的な実施形態を示す。この装置は主に、上側の基板、下側の基板、上側の基板と下側の基板との間に配置された支持体からなり、上述した実施形態で説明したような中間ビア層を含むこともできる。この例示的な実施形態では、５本のマイクロ流体チャネル１１２が上側の基板に形成される。繰り返すが、他の実施形態では、これより多くのマイクロ流体チャネルを形成することも、少ない数のマイクロ流体チャネルを形成することもできる。
【００５５】
マイクロ流体チャネル１１２は、膜の領域全体に均一な電場を発生させるように、膜に隣接して通される。例えば、各マイクロ流体チャネル１１２は、電極１１６の下流でループを形成し、そこでループの一部が膜の上を通る。膜の対向する２つの側から電場線をもたらす異なる閉ループ構成も、本開示の範囲内に入る。
【００５６】
制御バルブ１１４もマイクロ流体チャネル１１２に配置され、チャネル内の開放されたバルブまたは閉じたバルブによって決まる導電経路を制御するように動作する。例示的な実施形態では、マイクロ流体チャネル１１２をエラストマーポリマーに埋めて、空気圧駆動のマイクロバルブを達成する。これらのバルブは一般に、ソフトリソグラフィ技術を使用することによって２層で作製される。図１０Ａおよび図１０Ｂを参照すると、バルブは、図１０Ａの１０８に示すように、非常に薄い膜の層で分離された２層で構成されている。一方の層（フロー層）１０６には、流体を通すためのチャネルがある。分離用の薄膜は、図１０Ｂに示すように、他方の層（制御層）１０７の制御チャネル（バルブ）が空気または水によって加圧されると、マイクロ流体チャネル側に歪む。これにより、流体（液体電解質）の流れが止まり、結果的にシール状態となる。フローチャネルが閉じる量は、バルブによって電気ネットワークに加わる電気インピーダンスに関連する。例えば、フローチャネルが完全に閉じると、インピーダンスは＞１０ＧΩ（正確な値は、電解質の導電率およびバルブの形状による）になることがあり、マイクロ流体ネットワークの当該領域が効果的に隔離される。
【００５７】
図１１に戻り、５本のマイクロ流体チャネル１１２には各々、少なくとも２つのバルブ１１４が配置され、膜の両側にバルブが１つずつ配置されている。さらに、各バルブ１１４は、空気圧源（図示せず）に流体的に連結され、この空気圧源によって作動される。各群のバルブがマイクロ流体チャネル１１２を閉じる程度を制御することで、バルブ１１４は、分圧器の可変抵抗器として作用できる。このようにして、バルブを使用して電位が選択されたマイクロ流体チャネルを通るようにして、膜の領域に沿って均一な電場を発生させることができる。
【００５８】
空気圧駆動のマイクロバルブを含めることは、マイクロ流体での大規模な一体化を達成するための実用的な方法である。それは、数個の電極で、各マイクロチャネル群における膜の両側の電位差の値をオンチップで独立して制御するしっかりした方法である。マイクロバルブは、膜の様々な領域における電場の正確な制御を可能にする分圧器（マイクロチャネルで抵抗＞１０ＧΩのシールを提供する）として機能する。この制御は、膜の両側で流体チャネルのどこかに配置された単一の電極対を用いて、作製、サイズ制御、センシング用の任意の数のナノポアを扱う能力を付与し、電位をリダイレクトして単一の一対の電極を使用して特定のマイクロチャネル（生体分子検出のための重要な特徴）で膜の長さに沿って均一な電場を発生させるのに使用でき、共通に使用されるマイクロチャネルを含むデバイス（複数のナノポアを用いた単一サンプルの直列および並列プロービングに必要な特徴）でのアレイ作製とセンシングに必要であり、様々な溶媒、イオン強度、ｐＨまたは検体を含む溶液の迅速な交換を可能にして作製およびセンシングを容易にし、オンチップ作製と生体分子センシング用の可変の流体抵抗および電気抵抗器を含むという点で、デバイスのスケーラビリティと機能性のために必要である。また、バルブおよびチャネルの断面の疎水性を保持することは、作製とセンシング時に膜全体の電場の大きさと均一性を制御するのに使用される高抵抗シールを得るために重要であることにも留意されたい。これは、組み立て前にデバイスの各層を化学処理することで達成され、バルブ断面を親水性のままにするコンタミナントを除去するために膜をプラズマ処理する必要がなくなる。
【００５９】
これらの抵抗バルブの制御を利用して、少ない数の電極でマイクロ流体ネットワークにおける異なる位置を特定の電位条件にすることができる。この実施形態では、一対の電極を使用することができる。電極１１６は、膜の両側のマイクロ流体チャネルに配置される（上側の電極のみ図１１に示すが、下側電極も同様に膜の下に位置する）。上述した違いを除いて、装置１１０は、図２Ａとの関連で説明した装置と同様である。
【００６０】
図１２および図１３は、空気圧駆動のマイクロバルブ技術を使用する装置の他の例示的な実施形態を示す。図１２において、装置１２０は、装置１１０と同様であるが、経路指定バルブ１２１および第２の上側の電極１１６をさらに含む。動作時、経路指定バルブ１２１は閉じたままであり、イオン溶液は、図に示すように膜の左右両側から、膜１２に向かってチャネルを流れる。経路指定バルブ１２１は、実際には２つのマイクロ流体サブシステムを作り出す。チャネルが２つのマイクロ流体サブシステムの各々において５本の別個のマイクロ流体チャネルに分割される上流側に、１つの電極が配置される。
【００６１】
図１３は、類似の装置１３０を示すが、２つのマイクロ流体チャネル１１２のみを有する。同様に、２つの上側の電極が膜の両側に配置され、２つのマイクロ流体チャネルが膜の一部を通過する。２つの制御バルブ１１４が各マイクロ流体チャネル１１２に配置され、一方は膜の上流に、他方は膜の下流に配置される。上述した違いを除いて、これら２つの装置１２０、１３０は、図１１との関連で説明した装置と同様である。
【００６２】
実施形態の前述の説明は、例示および説明のために提供されたものである。網羅的であること、または開示を限定することを意図するものではない。特定の実施形態の個々の要素または特徴は通常その特定の実施形態に限定されないが、該当する場合には、具体的に図示または説明がなくても入れ替えることが可能であり、選択された実施形態で使用できる。同じことが多くの点で変更可能である。そのような変形例は本開示からの逸脱とみなすべきではなく、そのような改変のすべては、本開示の範囲内に含まれることが意図される。
【００６３】
本明細書で使用する用語は、特定の例示的な実施形態を説明することのみを目的としており、限定することを意図するものではない。本明細書で使用する場合、単数「ａ」、「ａｎ」および「ｔｈｅ」は、文脈がそうでないことを明確に示す場合の除き、複数も含むことが意図されている。「ｃｏｍｐｒｉｓｅ」、「ｃｏｍｐｒｉｓｉｎｇ」、「ｉｎｃｌｕｄｉｎｇ」、「ｈａｖｉｎｇ」という表現は包括的であり、表記の特徴、整数、ステップ、操作、要素および／または構成要素の存在を含んで特定するが、１つ以上の他の特徴、整数、ステップ、動作、要素、構成要素および／またはそれらの群の追加や存在を排除するものではない。本明細書に記載された方法ステップ、プロセス、動作は、性能の順序として具体的に特定されない限り、必ずしも説明または図示された特定の順序で性能を必要とすると解釈されるべきではない。追加または代わりのステップを用いてもよい旨を、理解されたい。
【００６４】
ある要素または層が別の要素または層の「上に」、「係合され」、「接続され」または「連結され」といわれる場合、他の要素もしくは層または介在する要素または層が存在してもよい。対照的に、ある要素が別の要素または層の「上に直接的に」、「直接的に係合され」、「直接的に接続され」または「直接的に連結され」といわれる場合、介在する要素または層は存在しない。要素間の関係を記述するために使用される他の単語は、同様のやり方で解釈されるべきである（例えば、「間」と「直接」、「隣接」と「直接隣接」など）。本明細書で使用する場合、「および／または」という語は、関連する列挙された項目の１つまたは複数の任意のおよびすべての組み合わせを含む。
【００６５】
第１、第２、第３などの用語は、本明細書では様々な要素、構成要素、領域、層および／またはセクションを記述するために使用されるが、これらの要素、構成要素、領域、層および／またはセクションは、これらの用語に限定されるべきではない。これらの用語は、１つの要素、構成要素、領域、層またはセクションを他の領域、層またはセクションと区別するだけのために使用されることもある。「第１」、「第２」および他の数値的な表現は、文脈によって明白に示されない限り、順序または順番を意味しない。したがって、以下に説明する第１の要素、構成要素、領域、層またはセクションは、例示的な実施形態の教示内容から逸脱することなく、第２の要素、構成要素、領域、層またはセクションと呼ぶことができる。
【００６６】
「ｉｎｎｅｒ」、「ｏｕｔｅｒ」、「ｂｅｎｅａｔｈ」、「ｂｅｌｏｗ」、「ｌｏｗｅｒ」、「ａｂｏｖｅ」、「ｕｐｐｅｒ」などの空間に関連する用語は、図に示されているように、ある要素または機能と他の要素または機能への関係を説明しやすくするためのものである。空間的に相対的な語は、図示の向きに加えて、使用または操作時のデバイスの異なる向きを包含することを意図してもよい。例えば、図中のデバイスをひっくり返すと、他の要素または機能の「ｂｅｌｏｗ（下）」または「ｂｅｎｅａｔｈ（下）」に記載された要素は、他の要素または機能の「ａｂｏｖｅ（上）」に配置される。従って、「ｂｅｌｏｗ」という用語例は、上と下の両方向を含むことができる。このデバイスは、それ以外の方向に向ける（９０度回転させるか、他の方向に回転させる）ことができ、したがって、本明細書で使用される空間的に相対的な記述子はそれに応じて解釈される。
【図１】
2018508745.tif 000004
【図２Ａ】
2018508745.tif 000005
【図２Ｂ】
2018508745.tif 000006
【図３Ａ】
2018508745.tif 000007
【図３Ｂ】
2018508745.tif 000008
【図３Ｃ】
2018508745.tif 000009
【図４Ａ】
2018508745.tif 000010
【図４Ｂ】
2018508745.tif 000011
【図４Ｃ】
2018508745.tif 000012
【図５Ａ】
2018508745.tif 000013
【図５Ｂ】
2018508745.tif 000014
【図６Ａ】
2018508745.tif 000015
【図６Ｂ】
2018508745.tif 000016
【図６Ｃ】
2018508745.tif 000017
【図６Ｄ】
2018508745.tif 000018
【図６Ｅ】
2018508745.tif 000019
【図６Ｆ】
2018508745.tif 000020
【図７Ａ】
2018508745.tif 000021
【図７Ｂ】
2018508745.tif 000022
【図８Ａ】
2018508745.tif 000023
【図８Ｂ】
2018508745.tif 000024
【図９Ａ】
2018508745.tif 000025
【図９Ｂ】
2018508745.tif 000026
【図１０Ａ】
2018508745.tif 000027
【図１０Ｂ】
2018508745.tif 000028
【図１１】
2018508745.tif 000029
【図１２】
2018508745.tif 000030
【図１３】
2018508745.tif 000031
【国際調査報告】
2018508745.tif 000032
2018508745.tif 000033